(57)【要約】【課題】本発明は、外光反射を抑制して視認性を向上した有機発光表示装置を提供する。【解決手段】本発明は有機発光表示装置に関し、本発明による有機発光表示装置は、基板部材、ゲート電極、ソース電極、及びドレイン電極を有して前記基板部材上に形成された薄膜トランジスター（ＴＦＴ）と、前記ドレイン電極の一部を露出する接触孔を有して前記薄膜トランジスターの上に形成された平坦化膜と、前記平坦化膜上に形成されて前記接触孔を通して前記薄膜トランジスターのドレイン電極と接続される画素電極と、前記画素電極を露出する開口部を有して前記平坦化膜上に形成された有色の画素定義膜と、前記画素電極及び前記画素定義膜上に形成されて前記画素定義膜と互いに異なる色相を有する有色物と、を含む。【選択図】図２
2010161058.tif 000002
【特許請求の範囲】
【請求項１】
基板部材と、
ゲート電極、ソース電極、及びドレイン電極を有し、前記基板部材上に形成された薄膜トランジスターと、
前記ドレイン電極の一部を露出する接触孔を有して前記薄膜トランジスターの上に形成された平坦化膜と、
前記平坦化膜上に形成され、前記接触孔を通して前記薄膜トランジスターのドレイン電極と接続される画素電極と、
前記画素電極を露出する開口部を有して前記平坦化膜上に形成された有色の画素定義膜と、
前記画素電極及び前記画素定義膜上に形成され、前記画素定義膜と互いに異なる色相を有する有色物とを含むことを特徴とする有機発光表示装置。
【請求項２】
前記画素電極上に形成された有機発光層と、前記有機発光層上に形成された共通電極と、前記共通電極の直上に形成されて前記有機発光層及び共通電極を保護するカバー層をさらに含み、
前記有色物は前記カバー層であることを特徴とする請求項１に記載の有機発光表示装置。
【請求項３】
前記画素電極及び前記画素定義膜を間において前記基板部材と合着して封止する封止部材をさらに含み、
前記有色物は前記封止部材であることを特徴とする請求項１に記載の有機発光表示装置。
【請求項４】
前記画素電極上に形成された有機発光層と、前記有機発光層上に形成された共通電極と、前記共通電極を間において前記基板部材と合着して封止する封止部材と、前記封止部材と前記共通電極の間に配置された充填層をさらに含み、
前記有色物は前記充填層であることを特徴とする請求項１に記載の有機発光表示装置。
【請求項５】
前記画素電極及び前記画素定義膜を間において前記基板部材と合着して封止する封止部材と、前記封止部材上に形成されたカバーウィンドウをさらに含み、
前記有色物はカバーウィンドウであることを特徴とする請求項１に記載の有機発光表示装置。
【請求項６】
前記画素定義膜が有する色相と前記有色物が有する色相は互いに混合されると各々の色相より明度が低くなることを特徴とする請求項１乃至５のうちいずれか一つに記載の有機発光表示装置。
【請求項７】
前記画素定義膜が有する色相と前記有色物が有する色相は減算混合で互いに補色関係であることを特徴とする請求項６に記載の有機発光表示装置。
【請求項８】
前記ゲート電極、前記ソース電極、及び前記ドレイン電極の中の一つ以上の電極と同じ素材で同じ工程によって形成された導電膜をさらに含み、
前記導電膜の少なくとも一部は前記画素定義膜の下に配置されたことを特徴とする請求項６に記載の有機発光表示装置。
【発明の詳細な説明】
【技術分野】
【０００１】
本発明は有機発光表示装置に関し、より詳しくは外光反射を抑制して視認性を向上させた有機発光表示装置に関するものである。
【背景技術】
【０００２】
有機発光表示装置（ｏｒｇａｎｉｃ  ｌｉｇｈｔ  ｅｍｉｔｔｉｎｇ  ｄｉｏｄｅ  ｄｉｓｐｌａｙ）は正孔注入電極と有機発光層及び電子注入電極を有する複数の有機発光素子（ｏｒｇａｎｉｃ  ｌｉｇｈｔ  ｅｍｉｔｔｉｎｇ  ｄｉｏｄｅ）を含む。有機発光層内部において電子と正孔が結合して生成された励起子（ｅｘｃｉｔｏｎ）が励起状態から基底状態に落ちる時に発生するエネルギーによって発光し、これを利用して有機発光表示装置は画像を形成表示する。
【０００３】
従って、有機発光表示装置は自発光特性を有し、液晶表示装置とは異なった別途の光源を要しないため、厚さと重量を減らすことができる。また、有機発光表示装置は低消費電力、高輝度及び高反応速度などの高品位特性を有するため、携帯用電子機器の次世代表示装置として注目されている。
【０００４】
一般に有機発光表示装置が有する多くの電極及び金属配線は外部から流入する光を反射する。このような外光反射によって有機発光表示装置は輝度レベルが低く黒い色の画像を形成し及びコントラストが雑音不良になって表示特性が低下する問題がある。
【発明の概要】
【発明が解決しようとする課題】
【０００５】
本発明の目的は、前述した背景技術の問題を解決するためのものであって、外光反射を抑制して視認性を向上させた有機発光表示装置を提供することである。
【課題を解決するための手段】
【０００６】
本発明による有機発光表示装置は、基板部材と、ゲート電極と、ソース電極と、ドレイン電極を有して前記基板部材上に形成された薄膜トランジスター（ｔｈｉｎ  ｆｉｌｍ  ｔｒａｎｓｉｓｔｏｒ、ＴＦＴ）と、前記ドレイン電極の一部を露出させる接触孔を有して前記薄膜トランジスターの上に設けられた平坦化膜と、前記平坦化膜上に形成されて前記接触孔を通して前記薄膜トランジスターのドレイン電極と接続される画素電極と、前記画素電極を露出する開口部を有して前記平坦化膜上に形成された有色の画素定義膜と、前記画素電極及び前記画素定義膜上に形成されて前記画素定義膜と互いに異なる色相を有する有色物と、を含む。
【０００７】
前記画素電極上に形成された有機発光層と、前記有機発光層上に形成された共通電極と、前記共通電極の直上に形成されて前記有機発光層及び共通電極を保護するカバー層をさらに含み、前記有色物は前記カバー層でありうる。
【０００８】
前記画素電極及び前記画素定義膜を間において前記基板部材と合着して封止する封止部材をさらに含み、前記有色物は前記封止部材でありうる。
【０００９】
前記画素電極上に形成された有機発光層と、前記有機発光層上に形成された共通電極と、前記共通電極を間において前記基板部材と合着して封止する封止部材と、前記封止部材と前記共通電極の間に配置された充填層をさらに含み、前記有色物は前記充填層でありうる。
【００１０】
前記画素電極及び前記画素定義膜を間において前記基板部材と合着して封止する封止部材と、前記封止部材上に形成されたカバーウィンドウをさらに含み、前記有色物はカバーウィンドウでありうる。
【００１１】
前記有機発光表示装置において、前記画素定義膜が有する色相と前記有色物が有する色相は互いに混合されると各々の色相より明度が低くなりうる。
【００１２】
前記画素定義膜が有する色相と前記有色物が有する色相は減算混合（減法混色とも言う）で互いに補色関係でありうる。
【００１３】
前記ゲート電極、前記ソース電極、及び前記ドレイン電極の中の一つ以上の電極と同じ素材で同じ工程を通して形成された導電膜をさらに含み、前記導電膜の少なくとも一部は前記画素定義膜の下に配置される。
【発明の効果】
【００１４】
本発明により有機発光表示装置は向上した表示特性を有することができる。
【図面の簡単な説明】
【００１５】
【図１】本発明の第１実施形態による有機発光表示装置の配置図である。
【図２】図１のＩＩ−ＩＩ線に沿って切断して示した断面図である。
【図３】本発明の第２実施形態による有機発光表示装置の断面図である。
【図４】本発明の第３実施形態による有機発光表示装置の断面図である。
【図５】本発明の第４実施形態による有機発光表示装置の断面図である。
【発明を実施するための形態】
【００１６】
以下、添付図を参照して、本発明の多様な実施形態について本発明が属する技術分野において通常の知識を有する者が容易に実施できるように詳しく説明する。本発明は多様な形態に具現でき、ここで説明する実施形態に限定されない。
【００１７】
また、図面に示した各構成の大きさ及び厚さは説明の便宜上任意に示したため、本発明は必ずしも示されたものに限定されない。
【００１８】
本発明を明確に説明するため説明上不要な部分は省略し、明細書全体にわたって同一または類似の構成要素については同じ参照符号を付ける。
【００１９】
また、図面から多くの層及び領域を明確に表示するため厚さを拡大して示した。明細書全体にわたって類似する部分については同じ図面符号を付けた。層、膜、領域、板などの部分がある部分の「上に」または「上部に」あるという時、これはある部分の「直上に」ある場合だけでなく、その中間にまた他の部分がある場合も含む。一方、ある部分が他の部分の「直ぐ上に」あるという時には中間に他の部分がないことを意味する。
【００２０】
また、多様な実施形態において、同じ構成を有する構成要素については同じ符号を使って代表的に第１実施形態で説明し、その他の実施形態では第１実施形態と異なっている構成についてのみ説明する。
【００２１】
また、添付図からは、一つの画素に二つの薄膜トランジスター（ＴＦＴ）と一つの蓄電素子（ｃａｐａｃｉｔｏｒ）を備えた２Ｔｒ−１Ｃａｐ構造の能動駆動（ａｃｔｉｖｅ  ｍａｔｒｉｘ、ＡＭ）型有機発光表示装置を示しているが、本発明はこれに限定されるのものではない。従って、有機発光表示装置は一つの画素に三つ以上の薄膜トランジスターと二つ以上の蓄電素子を備えることができ、別途の配線がさらに形成されて多様な構造を有するように形成しても良い。
【００２２】
ここで、画素は画像を表示する最小単位であり、有機発光表示装置は複数の画素を介して画像を表示する。
【００２３】
以下、図１及び図２を参照して本発明の第１実施形態について説明する。
【００２４】
図１及び図２に示したように、本発明の第１実施形態による有機発光表示装置１００は一つの画素にスイッチング薄膜トランジスター１０、駆動薄膜トランジスター２０、蓄電素子８０、そして有機発光素子（ＯＬＥＤ）７０を含む。また、有機発光表示装置１００は一方向に沿って配置されるゲートライン１５１と、ゲートライン１５１と絶縁交差されるデータライン１７１及び共通電源ライン１７２をさらに含む。ここで、一般に一つの画素はゲートライン１５１、データライン１７１及び共通電源ライン１７２を境界として定義できる。しかし、画素が前述した定義に限定されるのではない。
【００２５】
有機発光素子７０は画素電極７１０と、画素電極７１０上に形成された有機発光層７２０と、有機発光層７２０上に形成された共通電極７３０を含む。ここで、画素電極７１０は正孔注入電極の正（＋）極となり、共通電極７３０は電子注入電極の負（−）極となる。しかし、本発明による第１実施形態が必ずしもこれに限定されるのではなく、有機発光表示装置１００の駆動方法により画素電極７１０が負極となり、共通電極７３０が正極となりうる。画素電極７１０及び共通電極７３０から各々正孔と電子が有機発光層７２０内部に注入される。注入された正孔と電子が結合された励起子（ｅｘｉｔｏｎ）が励起状態から基底状態に落ちる時に発光される。
【００２６】
蓄電素子８０は層間絶縁膜１６０を間において配置された第１蓄電板１５８と第２蓄電板１７８を含む。
【００２７】
スイッチング薄膜トランジスター１０はスイッチング半導体層１３１、スイッチングゲート電極１５２、スイッチングソース電極１７３及びスイッチングドレイン電極１７４を含み、駆動薄膜トランジスター２０は駆動半導体層１３２、駆動ゲート電極１５５、駆動ソース電極１７６及び駆動ドレイン電極１７７を含む。
【００２８】
スイッチング薄膜トランジスター１０は発光させようとする画素を選択するスイッチング素子として用いられる。スイッチングゲート電極１５２はゲートライン１５１と接続される。スイッチングソース電極１７３はデータライン１７１と接続される。スイッチングドレイン電極１７４はスイッチングソース電極１７３から離隔配置され、第１蓄電板１５８と接続される。
【００２９】
駆動薄膜トランジスター２０は選択された画素内の有機発光素子７０の有機発光層７２０を発光させるための駆動電源を画素電極７１０に印加する。駆動ゲート電極１５５は第１蓄電板１５８と接続される。駆動ソース電極１７６及び第２蓄電板１７８は各々共通電源ライン１７２と接続される。駆動ドレイン電極１７７は接触孔１８２を介して有機発光素子７０の画素電極７１０と接続される。
【００３０】
このような構造によってスイッチング薄膜トランジスター１０はゲートライン１５１に印加されるゲート電圧によって作動されて、データライン１７１に印加されるデータ電圧を駆動薄膜トランジスター２０に伝達する役割を果たす。共通電源ライン１７２から駆動薄膜トランジスター２０に印加される共通電圧とスイッチング薄膜トランジスター１０から伝送されたデータ電圧の差に相当する電圧が蓄電素子８０に保存されて、蓄電素子８０に保存された電圧に対応する電流が駆動薄膜トランジスター２０を通して有機発光素子７０に流れて有機発光素子７０が発光される。
【００３１】
また、有機発光表示装置１００は、図２に示したように、画素定義膜１９０及び封止部材２１０をさらに含む。
【００３２】
画素定義膜１９０は画素電極７１０を露出する開口部を有し、有機発光層７２０は実質的に画素定義膜１９０の開口部内に配置される。つまり、一つの画素において画素定義膜１９０が形成された部分は有機発光層７２０が形成された部分を除いた他の部分と実質的に同一である。従って、画素定義膜１９０の下にはゲート電極１５２、１５５、ソース電極１７３、１７６、及びドレイン電極１７４、１７７のうち、一つ以上の電極と同じ層に同じ素材で同じ工程を通して形成された導電膜の少なくとも一部が配置される。例えば、導電膜はゲートライン１５１、データライン１７１、共通電源ライン１７２、第１蓄電板１５８、第２蓄電板１７８、及びその他の配線のうちの一つでありうる。また、画素定義膜１９０は色相を有する。
【００３３】
封止部材２１０は画素定義膜１９０を間において基板部材１１１と合着して封止する。この時、封止部材２１０を除いた構成を表示基板１１０という。封止部材２１０は基板部材１１１上に形成された薄膜トランジスター１０、２０及び有機発光素子７０等が外部から封止されるようにカバーして保護する。
【００３４】
封止部材２１０としては通常ガラスまたはプラスチックなどの素材で作られた絶縁基板が用いられる。また、封止部材２１０も色相を有する。この時、封止部材２１０は画素定義膜１９０と互いに異なる色相を有する。特に、封止部材２１０は画素定義膜１９０が有する色相と混合されると全体積の明度が低くなる色相を有する。つまり、画素定義膜１９０が有する色相と封止部材２１０が有する色相は混合されると各々の色相単独より明度が低くなる。
【００３５】
より望ましくは、画素定義膜１９０は封止部材２１０が有する色相と減算混合において互いに補色関係の色相を有する。つまり、封止部材２１０が有する色相と画素定義膜１９０が有する色相は減算混合で互いに補色関係であることがさらに望ましい。
【００３６】
このような構成によって、有機発光表示装置１００は外光反射を抑制して向上した視認性を有することができる。
【００３７】
具体的に、画素定義膜１９０の下に配置された導電膜で反射される外部の光が画素定義膜１９０と封止部材２１０を通過しながら、これらが有する色によって明度が低くなる。特に、画素定義膜１９０と封止部材２１０が各々減算混合において補色関係の色相を有する場合、これらの混合色相は黒い色に近いため、光が通過できずより効果的に外光反射を抑制することができる。
【００３８】
例えば、画素定義膜１９０が黄色（ｙｅｌｌｏｗ）系の色相を有すると、封止部材２１０は黄色相と減算混合上で補色関係の青色（ｂｌｕｅ）系の色相を有する。この時、画素定義膜１９０が黄色カラーフィルターのような機能をして、黄色の光が主に画素定義膜１９０を通過するようになる。また、この黄色の光は青色系の色相を有する封止部材２１０を通過しながら明度が非常に減少するため、外部の光が画素定義膜１９０の下に配置された導電膜に反射されることを抑制できる。しかしながら、本発明による第１実施形態がこれに限定されるのではない。従って、画素定義膜１９０及び封止部材２１０は各々互いに減算混合される多様な色相を有している。
【００３９】
以下、図２を参照して本発明の第１実施形態による有機発光表示装置１００の構造について具体的に説明する。図２は駆動薄膜トランジスター２０、有機発光素子７０及び蓄電素子８０を中心に有機発光表示装置１００を示している。
【００４０】
下記では駆動薄膜トランジスター２０を通して薄膜トランジスターの構造について詳しく説明する。また、スイッチング薄膜トランジスター１０は駆動薄膜トランジスターとの相違点のみを簡略に説明する。
【００４１】
基板部材１１１はガラス、石英、セラミック、プラスチックなどで構成された絶縁性基板で形成される。しかし、本発明がこれに限定されるのではない。従って、基板部材１１１がステンレス鋼などで構成された金属性基板で形成されることもありうる。
【００４２】
基板部材１１１上にバッファー層１２０が形成される。バッファー層１２０は不純元素の浸透を防止しながら表面を平坦化する役割を果たし、このような役割を遂行できる多様な物質で形成できる。例えば、バッファー層１２０は窒化ケイ素（ＳｉＮｘ）膜、酸化ケイ素（ＳｉＯ２）膜、酸窒化ケイ素（ＳｉＯｘＮｙ）膜のうちいずれか一種が用いられる。しかし、バッファー層１２０は必ずしも必要なものではなく、基板部材１１１の種類及び工程条件により省略できる。
【００４３】
バッファー層１２０上には駆動半導体層１３２が形成される。駆動半導体層１３２は多結晶シリコン膜で形成される。また、駆動半導体層１３２は不純物がドーピングされないチャンネル領域１３５と、チャンネル領域１３５の両側にｐ＋ドーピングされて形成されたソース領域１３６及びドレイン領域１３７を含む。この時、ドーピングされるイオン物質はホウ素（Ｂ）のようなＰ型不純物であり、主にＢ２Ｈ６が使用される。ここで、このような不純物は薄膜トランジスターの種類によって異なる。
【００４４】
本発明の第１実施形態において駆動薄膜トランジスター２０としてＰ型不純物を用いたＰＭＯＳ構造の薄膜トランジスターが使用されたが、これに限定されるのではない。従って、駆動薄膜トランジスター２０としてＮＭＯＳ構造またはＣＭＯＳ構造の薄膜トランジスターも全て用いることができる。
【００４５】
また、図２に示された駆動薄膜トランジスター２０は多結晶シリコン膜を含む多結晶薄膜トランジスターであり、図２に示されていないスイッチング薄膜トランジスター１０は多結晶薄膜トランジスターでもよく、非晶質シリコン膜を含む非晶質薄膜トランジスターでもよい。
【００４６】
駆動半導体層１３２上には窒化ケイ素（ＳｉＮｘ）または酸化ケイ素（ＳｉＯ２）などで形成されたゲート絶縁膜１４０が形成される。ゲート絶縁膜１４０上に駆動ゲート電極１５５を有するゲート配線が形成される。ゲート配線はゲートライン１５１（図１に図示）、第１蓄電板１５８及びその他に配線をさらに含む。また、駆動ゲート電極１５５は駆動半導体層１３２の少なくとも一部、特にチャンネル領域１３５と重なるように形成される。
【００４７】
ゲート絶縁膜１４０上には駆動ゲート電極１５５を覆う層間絶縁膜１６０が形成される。ゲート絶縁膜１４０と層間絶縁膜１６０は駆動半導体層１３２のソース領域１３６及びドレイン領域１３７を露出する複数の貫通孔を共に有する。層間絶縁膜１６０は、ゲート絶縁膜１４０と同様に、窒化ケイ素（ＳｉＮｘ）または酸化ケイ素（ＳｉＯ２）等で形成される。
【００４８】
層間絶縁膜１６０上には駆動ソース電極１７６及び駆動ドレイン電極１７７を含むデータ配線が形成される。データ配線はデータライン１７１（図１に図示）、共通電源ライン１７２、第２蓄電板１７８及びその他に配線をさらに含む。そして駆動ソース電極１７６及び駆動ドレイン電極１７７は各々貫通孔を通して駆動半導体層１３２のソース領域１３６及びドレイン領域１３７と接続される。
【００４９】
このように、駆動半導体層１３２、駆動ゲート電極１５５、駆動ソース電極１７６及び駆動ドレイン電極１７７を有する駆動薄膜トランジスター２０が形成される。
【００５０】
駆動薄膜トランジスター２０の構成は前述した例に限定されず、当該技術分野の専門家が容易に実施できる公知である構成に多様に変形できる。
【００５１】
層間絶縁膜１６０上にはデータ配線１７２、１７６、１７７、１７８を覆う平坦化膜１８０が形成される。平坦化膜１８０はその上に形成される有機発光素子７０の発光効率を高めるために段差をなくして平坦化させる役割を果たす。また、平坦化膜１８０はドレイン電極１７７の一部を露出させる接触孔１８２を有する。
【００５２】
平坦化膜１８０は、アクリル系樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド系樹脂（ｐｏｌｙａｍｉｄｅｓ  ｒｅｓｉｎ）、ポリイミド系樹脂（ｐｏｌｙｉｍｉｄｅｓ  ｒｅｉｎ）、不飽和ポリエステル系樹脂（ｕｎｓａｔｕｒａｔｅｄ  ｐｏｌｙｅｓｔｅｒｓ  ｒｅｓｉｎ）、ポリフェニレン系樹脂（ｐｏｌｙｐｈｅｎｙｌｅｎｅｔｈｅｒｓ  ｒｅｓｉｎ）、ポリフェニレンスルフィド系樹脂（ｐｏｌｙｐｈｅｎｙｌｅｎｅｓｕｌｆｉｄｅｓ  ｒｅｓｉｎ）、及びベンゾシクロブテン（ｂｅｎｚｏｃｙｃｌｏｂｕｔｅｎｅ、ＢＣＢ）の中の一種以上の物質で形成される。
【００５３】
平坦化膜１８０上には有機発光素子７０の画素電極７１０が形成される。画素電極７１０は平坦化膜１８０の接触孔１８２を通してドレイン電極１７７と接続される。
【００５４】
また、平坦化膜１８０上には画素電極７１０を露出する開口部を有する画素定義膜１９０が形成される。つまり、画素電極７１０は画素定義膜１９０の開口部に対応するように配置される。
【００５５】
画素定義膜１９０はポリアクリル系（ｐｏｌｙａｃｒｙｌａｔｅｓ  ｒｅｓｉｎ）及びポリイミド系（ｐｏｌｙｉｍｉｄｅｓ）等の樹脂で形成される。
【００５６】
画素定義膜１９０の開口部内において画素電極７１０上には有機発光層７２０が形成され、画素定義膜１９０及び有機発光層７２０上には共通電極７３０が形成される。
【００５７】
このように、画素電極７１０、有機発光層７２０、及び共通電極７３０を含む有機発光素子７０が形成される。
【００５８】
画素電極７１０と共通電極７３０のうちいずれか一つは透明な導電性物質で形成され、他の一つは半透過型または反射型導電性物質で形成できる。画素電極７１０及び共通電極７３０を形成する物質の種類によって、有機発光表示装置１００は前面発光型、背面発光型または両面発光型の何れかになりうる。一方、本発明による有機発光表示装置１００は図２の構造であるから、前面発光型に形成され動作する。つまり、第１実施形態では、有機発光素子７０は共通電極方向７３０方向に光を放出して画像を表示する。
【００５９】
透明な導電性物質としては、インジウム錫酸化物（ｉｎｄｉｕｍ  ｔｉｎ  ｏｘｉｄｅ、ＩＴＯ）、インジウム亜鉛酸化物（Ｉｎｄｉｕｍ  Ｚｉｎｃ  Ｏｘｉｄｅ、ＩＺＯ）、ＺｎＯ（酸化亜鉛）またはＩｎ２Ｏ３（Ｉｎｄｉｕｍ  Ｏｘｉｄｅ）等の物質を使用できる。反射型物質としてはリチウム（Ｌｉ）、カルシウム（Ｃａ）、フッ化リチウム／カルシウム（ＬｉＦ／Ｃａ）、フッ化リチウム／アルミニウム（ＬｉＦ／Ａｌ）、アルミニウム（Ａｌ）、銀（Ａｇ）、マグネシウム（Ｍｇ）、または金（Ａｕ）等の物質を使用できる。
【００６０】
有機発光層７２０は低分子有機物または高分子有機物で構成される。このような有機発光層７２０は正孔注入層（ｈｏｌｅ−ｉｎｊｅｃｔｉｏｎ  ｌａｙｅｒ、ＨＩＬ）、正孔輸送層（ｈｏｌｅ−ｔｒａｎｓｐｏｒｔｉｎｇ  ｌａｙｅｒ、ＨＴＬ）、発光層、電子輸送層（ｅｌｅｃｔｒｏｎ−ｔｒａｎｓｐｏｒｔｉｏｎｇ  ｌａｙｅｒ、ＥＴＬ）、そして電子注入層（ｅｌｅｃｔｒｏｎ−ｉｎｊｅｃｔｉｏｎ  ｌａｙｅｒ、ＥＩＬ）を有する多重膜で形成される。つまり、正孔注入層は正極の画素電極７１０上に配置され、その上に正孔輸送層、発光層、電子輸送層、電子注入層が順次に積層される。
【００６１】
有機発光素子７０上に封止部材２１０が配置される。封止部材２１０は基板部材１１１と対向配置されて、薄膜トランジスター２０及び有機発光素子７０をカバーする。
【００６２】
封止部材２１０と画素定義膜１９０は各々減算混合において互いに補色関係の色相を有する。つまり、画素定義膜１９０が有する色相と封止部材２１０が有する色相は互いに混合されると全体的に明度が低くなる。
【００６３】
本発明の第１実施形態において、封止部材２１０には青色系の色相を帯びさせながら、青色系の光に対して相対的に高い透過度を有する。こうするため、有機発光表示装置１００の青色系色相に対する効率が相対的に落ちる場合にブルー系の色相を帯びる封止部材２１０の使用はより効果的になる。また、画素定義膜１９０は黄色系色相を有する。
【００６４】
従って、画素定義膜１９０の下に配置された導電膜で反射された外部光が画素定義膜１９０及び封止部材２１０を通過しながら減算混合されて明度が低くなる。画素定義膜１９０及び封止部材２１０は、前述した例に限定されず、各々互いに減算混合される多様な色相を有することができる。
【００６５】
以下、図３を参照して本発明の第２実施形態について説明する。
【００６６】
図３に示したように、有機発光表示装置２００は有機発光素子７０と封止部材２１０の間の空間に満たされた充填層２５０をさらに含む。充填層２５０は封止部材２１０を安定的に固定させる役割を果たし、有機発光素子７０に水分及び異物が浸透することを防止し、屈折率の差による光の反射を減少させる役割を果たす。
【００６７】
また、充填層２５０は樹脂系の素材を含んで形成され、色相を有する。一方、本発明の第２実施形態による有機発光表示装置２００における封止部材２１０は色相を有しない。
【００６８】
また、画素定義膜１９０と充填層２５０は互いに異なる色相を有する。特に、充填層２５０は画素定義膜１９０が有する色相と混合されると全体的に明度が低くなる色相を有する。つまり、画素定義膜１９０が有する色相と充填層２５０が有する色相は互いに混合されると各々の色相より明度が低くなる。
【００６９】
より望ましくは、充填層２５０は画素定義膜１９０が有する色相と減算混合で互いに補色関係の色相を有する条件、つまり、画素定義膜１９０が有する色相と充填層２５０が有する色相は減算混合において互いに補色関係であることが更に望ましい。
【００７０】
このような構成によって、有機発光表示装置２００は外光反射を抑制して向上した視認性を有することができる。
【００７１】
具体的に、画素定義膜１９０の下に配置された導電膜で反射される外部の光が画素定義膜１９０と充填層２５０を通過しながらこれらが有する色によって明度が低くなる。特に、画素定義膜１９０と充填層２５０が各々減算混合で補色関係の色相を有する場合、これらの混合色相は黒い色に近いため、光が通過できず、より効果的に外光反射を抑制することができる。
【００７２】
例えば、画素定義膜１９０が黄色（ｙｅｌｌｏｗ）系色相を有すると、充填層２５０は黄色相と減算混合において補色関係の青色（ｂｌｕｅ）系色相を有することができる。この時、画素定義膜１９０が黄色カラーフィルターのような機能をして黄色の光だけが画素定義膜１９０を通過する。そして、この黄色の光は青色系の色相を有する充填層２５０を通過しながら明度が非常に減少するため、外部の光が画素定義膜１９０の下に配置された導電膜で反射されることを抑制できる。しかし、本発明による第２実施形態がこれに限定されるのではない。従って、画素定義膜１９０及び充填層２５０は各々互いに減算混合される多様な色相を有することができる。
【００７３】
以下、図４を参照して本発明の第３実施形態について説明する。
【００７４】
図４に示したように、有機発光表示装置３００は有機発光素子７０の共通電極７３０を覆うカバー層３３０をさらに含む。カバー層３３０は共通電極７３０の直上に形成されて基本的に有機発光素子７０を保護すると共に、有機発光素子７０から発生した光の効率的な放出を促進する役割を果たす。
【００７５】
カバー層３３０は、Ａｌｑ３、ＴＰＤ、ＰＢＤ、ｍ−ＭＴＤＡＴＡ、ＴＣＴＡ、ＮＰＤ、及びＮＰＢなどのような有機膜または窒化ケイ素（ＳｉＮｘ）、酸化ケイ素（ＳｉＯｘ）、及び酸窒化ケイ素酸窒化ケイ素（ＳｉＯｘＮｙ）等のような無機膜で形成される。ここで、Ａｌｑ３、ＴＰＤ、ＰＢＤ、ｍ−ＭＴＤＡＴＡ、ＴＣＴＡ、ＮＰＤ、及びＮＰＢなどのような有機物は有機発光層７２０の素材にも用いることができる。
【００７６】
また、カバー層３３０は色相を有する。一方、本発明の第３実施形態による有機発光表示装置３００における封止部材２１０は色相を有しない。
【００７７】
そして、画素定義膜１９０とカバー層３３０は互いに異なる色相を有する。特に、カバー層３３０は画素定義膜１９０が有する色相と混合されると全体的に明度が低くなる色相を有する。つまり、画素定義膜１９０が有する色相とカバー層３３０が有する色相は互いに混合されると各々の色相単独より明度が低くなる。
【００７８】
より望ましくは、カバー層３３０は画素定義膜１９０が有する色相と減算混合において互いに補色関係の色相を有する。つまり、画素定義膜１９０が有する色相とカバー層３３０が有する色相は減算混合で互いに補色関係であるのがさらに望ましい。
【００７９】
このような構成によって、有機発光表示装置３００は外光反射を抑制して向上した視認性を有することができる。
【００８０】
具体的には、画素定義膜１９０の下に配置された導電膜で反射される外部の光が画素定義膜１９０とカバー層３３０を通過しながら、これらが有する色によって明度が低くなる。特に、画素定義膜１９０とカバー層３３０が各々減算混合上で補色関係の色相を有する場合、これらの混合色相は黒い色に近いため、光が通過できずより効果的に外光反射を抑制することができる。
【００８１】
例えば、画素定義膜１９０が黄色（ｙｅｌｌｏｗ）系の色相を有すると、カバー層３３０は黄色相と減算混合上において補色関係の青色（ｂｌｕｅ）系の色相を有することができる。この時、画素定義膜１９０が黄色カラーフィルターのような機能をして、黄色の光だけが画素定義膜１９０を通過する。そして、この黄色の光は青色系の色相を有するカバー層３３０を通過しながら明度が非常に減少するため、外部の光が画素定義膜１９０の下に配置された導電膜で反射されることを抑制できる。しかし、本発明による第３実施形態がこれに限定されるのではない。従って、画素定義膜１９０及びカバー層３３０は各々互いに減算混合される多様な色相を有することができる。
【００８２】
以下、図５を参照して本発明の第４実施形態について説明する。
【００８３】
図５に示したように、有機発光表示装置４００は封止部材２１０上に配置されたカバーウィンドウ５００をさらに含む。カバーウィンドウ５００はガラスまたはプラスチックなどのような透明な素材で形成されながら、色相を有する。一方、本発明の第４実施形態による有機発光表示装置４００における封止部材２１０は色相を有しない。
【００８４】
そして、画素定義膜１９０とカバーウィンドウ５００は互いに異なる色相を有する。特に、カバーウィンドウ５００は画素定義膜１９０が有する色相と混合されると全体的に明度が低くなる色相を有する。つまり、画素定義膜１９０が有する色相とカバーウィンドウ５００が有する色相は互いに混合されると各々の色相単独より明度が低くなる。
【００８５】
より望ましくは、カバーウィンドウ５００は画素定義膜１９０が有する色相と減算混合で互いに補色関係の色相を有する。つまり、画素定義膜１９０が有する色相とカバーウィンドウ５００が有する色相は減算混合で互いに補色関係であるのがさらに望ましい。
【００８６】
このような構成によって、有機発光表示装置４００は外光反射を抑制して向上した視認性を有することができる。
【００８７】
具体的に、画素定義膜１９０の下に配置された導電膜に反射される外部の光が画素定義膜１９０とカバーウィンドウ５００を通過しながら、これらが有する色によって明度が低くなる。特に、画素定義膜１９０とカバーウィンドウ５００が各々減算混合上において補色関係の色相を有する場合、これらの混合色相は黒い色に近いため光が通過できず、より効果的に外光反射を抑制できる。
【００８８】
例えば、画素定義膜１９０が黄色（ｙｅｌｌｏｗ）系の色相を有する場合、カバーウィンドウ５００は黄色相と減算混合上において補色関係の青色（ｂｌｕｅ）系の色相を有することができる。この時、画素定義膜１９０が黄色カラーフィルターのような機能をして、黄色の光だけが画素定義膜１９０を通過する。そして、この黄色の光は青色系の色相を有するカバーウィンドウ５００を通過しながら明度が非常に減少するため、外部の光が画素定義膜１９０の下に配置された導電膜に反射されることを抑制できる。しかし、本発明による第４実施形態がこれに限定されるのではない。従って、画素定義膜１９０及びカバーウィンドウ５００は各々互いに減算混合される多様な色相を有することができる。
【００８９】
前記の多様な実施形態のように、有色の画素定義膜１９０と画素定義膜１９０と互いに異なる色相を有する有色物の組み合わせによって外光反射を抑制することができる。画素定義膜１９０と有色物は各々互いに減算混合において補色関係の色相を有するのが最も望ましい。また、有色物は前記のように、封止部材２１０、充填層２５０、カバー層３３０、及びカバーウィンドウ５００のうち一つ以上でありうる。
【００９０】
以上、本発明を望ましい実施形態を参照しながら説明したが、本発明はこれに限定されることなく、特許請求の範囲の概念と範囲を逸脱しない限り、多様な修正及び変形ができることを本発明が属する技術分野に務める者らは容易に理解できる。
【符号の説明】
【００９１】
１００、２００、３００、４００  有機発光表示装置
１０  スイッチング薄膜トランジスター
２０  駆動薄膜トランジスター
７０  有機発光素子（ＯＬＥＤ）
８０  蓄電素子
１１０  表示基板
１１１  基板部材
１２０  バッファー層
１３１  スイッチング半導体層
１３２  駆動半導体層
１３５  チャンネル領域
１３６  ソース領域
１３７  ドレイン領域
１４０  ゲート絶縁膜
１５１  ゲートライン
１５２  スイッチングゲート電極
１５５  駆動ゲート電極
１５８、１７８  蓄電板
１６０  層間絶縁膜
１７１  データライン
１７２  共通電源ライン
１７３  スイッチングソース電極
１７４  スイッチングドレイン電極
１７６  駆動ソース電極
１７７  駆動ドレイン電極
１８０  平坦化膜
１８２  接触孔
１９０  画素定義膜
２１０  封止部材
２５０  充填層
３３０  カバー層
５００  カバーウィンドウ
７１０  画素電極
７２０  有機発光層
７３０  共通電極
【図１】
2010161058.tif 000003
【図２】
2010161058.tif 000004
【図３】
2010161058.tif 000005
【図４】
2010161058.tif 000006
【図５】
2010161058.tif 000007